(57)【要約】【課題】その場観察の困難な微細組織及び構造に対して、デジタルカメラ及び高倍率ルーペを組み合わせた撮影装置を用いることで、簡便、迅速、安価に微細組織・構造を撮影可能とする。【解決手段】ルーペ１を介して対象物から得られる微細組織・構造の画像を、デジタルカメラ２の鏡筒８を直接ルーペの鏡筒７に接触させることで撮影を可能とし、輪ゴム３及び支持体４などの弾力性のある安価な物品によってデジタルカメラ２及びルーペ１を密着、固定させることにより、１）片手でのシャッター操作により対象物の微細構造・組織画像を撮影、２）被写体を任意の角度。位置で撮影、３）目的の被写体とのピント合わせをルーペ１の対物レンズと被写体との距離合わせのみで実行、することができる。【選択図】図２
0003113175.tif 000002
【実用新案登録請求の範囲】
【請求項１】
デジタルカメラの鏡筒先端に、把持部を有する肉眼観察用携帯型高倍率ルーペを当接するように組み合わせて成り、該把持部を支持し被写体を接写し被写体の極微小構造の画像を得ることが可能であることを特徴とする接写用撮影装置。
【請求項２】
デジタルカメラ、肉眼観察用携帯型高倍率ルーペ、支持具及び弾性部材から成り、デジタルカメラの鏡筒先端に、把持部を有する肉眼観察用携帯型高倍率ルーペの鏡筒を当接するように組み合わせて成り、該把持部を支持し被写体を接写し被写体の極微小構造の画像を得ることが可能な接写用撮影装置であって、
前記支持具は、デジタルカメラの前面に当接され、前記把持部を支持し、
前記弾性部材は、前記肉眼観察用携帯型高倍率ルーペ及び前記支持具を前記デジタルカメラに着脱可能に締結するものであることを特徴とする接写用撮影装置。
【請求項３】
前記弾性部材は、輪ゴムであることを特徴とする請求項２記載の接写用撮影装置。
【考案の詳細な説明】
【技術分野】
【０００１】
本考案は、接写用撮影装置に関し、特に、デジタルカメラにルーペを取り付けて成り、極微小構造の物を高解像度、且つ高倍率の画像として撮影できる接写用撮影装置に関する。特に、デジタルカメラに肉眼観察用携帯型高倍率ルーペを取り付ける固定構造に特徴を有するものである。
【背景技術】
【０００２】
近年、デジタルカメラが普及し、その取り扱いの簡便、手軽さ等の理由により、いろいろな分野で活用されている。植物や鉱物、岩石の構造や微細組織（鉱物の結晶系や葉脈など）の観察等にも利用すれば、簡易組織解析、植物の発育診断等が迅速、手軽に実現可能となる。
【０００３】
ところで、市販のデジタルカメラは高倍率の接写が可能になってきている。しかしながら、現状では４ｃｍ以内での接写は不可能で、５００万画素程度の高解像度撮影画像による解析によっても、２０倍以上の拡大及び微細構造画像を得ることは困難である。
【０００４】
従来、デジタルカメラで微細なものを接写する場合は、そのデジタルカメラに特別に装着可能な、接写レンズ付きアダプタを利用する構成は知られている（特許文献１、２参照）
【特許文献１】特開平８−１３９９７７号公報
【特許文献２】特開２００１−８０７０号公報
【考案の開示】
【考案が解決しようとする課題】
【０００５】
上記のとおり、従来、デジタルカメラで微細なものを接写する場合は、特別なアダプタを用意しなくてはならないので、きわめて面倒であるという問題があった。本考案は、このような従来の問題を解決することを目的とする。
【０００６】
即ち、従来のデジタルカメラでは不可能であった、植物や鉱物、岩石の構造や微細組織（鉱物の結晶系や葉脈など）の観察を、特別なアダプタに装着することなく、容易に可能にするものであり、実物の５０倍から８０倍の縮尺によるその場観察による簡易組織解析、植物の発育診断等を実現することを課題とするものである。
【課題を解決するための手段】
【０００７】
本考案は、上記課題を解決するために、デジタルカメラの鏡筒先端に、把持部を有する肉眼観察用携帯型高倍率ルーペを当接するように組み合わせて成り、該把持部を支持し被写体を接写し被写体の極微小構造の画像を得ることが可能であることを特徴とする接写用撮影装置を提供する。
【０００８】
さらに、本考案は、デジタルカメラ、肉眼観察用携帯型高倍率ルーペ、支持具及び弾性部材から成り、デジタルカメラの鏡筒先端に、把持部を有する肉眼観察用携帯型高倍率ルーペの鏡筒を当接するように組み合わせて成り、該把持部を支持し被写体を接写し被写体の極微小構造の画像を得ることが可能な接写用撮影装置であって、前記支持具は、デジタルカメラの前面に当接され、前記把持部を支持し、前記弾性部材は、前記肉眼観察用携帯型高倍率ルーペ及び前記支持具を前記デジタルカメラに着脱可能に締結するものであることを特徴とする接写用撮影装置を提供する。
【考案の効果】
【０００９】
上記構成から成る本考案に係る接写用撮影装置によれば、次のとおりの効果が生じる。
（１）目的とする鉱物の微細構造や植物の葉脈などの微細組織（最小で０．１ｍｍ程度）を、可能な限り対象物に近い位置から、デジタルカメラ単体では得られなかった高倍率（５０−８０倍）画像を撮影することができ、しかも最小の部品点数で、観察現地その場における簡便、迅速な高倍率（５０−８０倍）画像撮影を可能とする。
【００１０】
（２）本考案によると、片手でシャッター操作ができるので、被写体を任意の角度、位置で撮影することができる。更に、例えば被写体の位置を少しずらしたい時や、鉱物や植物の葉などの片手で操作できる対象物中の微細組織の画像を撮影する際、フリーとなったもう片方の手によって被写体との方向、位置の調整を極めて簡便に行うことができ、この装置の操作性向上と撮影対象の拡大におおいに役立つ。
【００１１】
（３）光学系対物と撮影装置の対物が一体となることにより、目的の被写体とのピント合わせをルーペの対物レンズと被写体との距離合わせのみで行うことが出来るので、片手で操作ができることに併せて、操作者の焦点合わせ等の負担を低減する効果がある。
【００１２】
（４）光学系（高倍率ルーペ）及び撮影装置（デジタルカメラ）を直結するという構造を採用したので、幾何光学上の特性を実効的に劣化することなく、対象物の微細構造・組織画像を撮影できる。
【００１３】
（５）操作者は、デジタルカメラに標準装備のモニタによって被写体の焦点合わせが常時目視でき、目的の微細組織の撮影位置決め、方向確認が容易になる。さらに、輪ゴムや紙粘土といったどこでも入手が容易で安価な材料によりデジタルカメラと高倍率ルーペを固定することができるため、デジタルカメラと高倍率ルーペを持ち合わせていれば、高価な対物レンズやそれに付随する様々な別売品を別途購入する必要がない。
【考案を実施するための最良の形態】
【００１４】
本考案を実施するための最良の形態を、実施例に基づいて図面を参照して以下に説明する。
【実施例】
【００１５】
図１は、本考案に係る接写用撮影装置の実施例を示す図である。この接写用撮影装置は、デジタルカメラ２と、肉眼観察用携帯型高倍率ルーペ１（以下、単に「ルーペ」という。）と、支持具４と、弾性部材３とを備えている。
【００１６】
そして、この接写用撮影装置は、図１〜３に示すように、デジタルカメラ２の前面に支持具４が当接され、ルーペ１の鏡筒７は、デジタルカメラ２の鏡筒８に当接され、ルーペ１の把持部９は、支持具４の前面に当接されており、この状態で、デジタルカメラ２、支持具４及びルーペ１が、輪ゴムによって一体的に締結されて構成されている。なお、図１〜３において、ルーペ１の鏡筒７とデジタルカメラ２の鏡筒８が当接する部分を当接部６として示す。５は、シャッターボタンを示す。
【００１７】
デジタルカメラ２及びルーペ１は、市販されているものを利用する。例えば、デジタルカメラ２としては、市販の高解像度（２００万画素以上）デジタルカメラ２（Ｐａｎａｓｏｎｉｃ社製Ｌｕｍｉｘ：ＤＭＣ−ＦＸ５）を利用し、その鏡筒先端に、高倍率（１５倍〜２０倍）のルーペ１（Ｃａｒｔｏｎ社製１８倍ルーペ：Ｒ２３０）を装着する。
【００１８】
これにより、対象物の極微小構造の画像（通常のデジタルカメラ２の接写モードでは撮影ができない長さ１ｍｍものを１５〜２０ｍｍの大きさに拡大撮影したもの）の撮影を可能にすることができる。なお、デジタルカメラ２及びルーペ１の構造等は公知であるから、その具体的な構造はここでは説明を省略する。
【００１９】
図４は、支持具４と弾性部材３を示す図である。支持具４は、デジタルカメラ２の前面及びルーペ１の把持部９を疵付けないような材料、例えば、紙粘土、樹脂、発砲スチロール材等の材料で形成する。この実施例では、紙粘土が使用されている。
【００２０】
弾性部材３としては、ゴムバンド、スプリング等いろいろな態様があるが、本実施例では輪ゴムを利用する。以下、弾性部材３は、輪ゴム３で説明する。
【００２１】
デジタルカメラ２へのルーペ１の取り付け構造は次のとおりである。支持具４はデジタルカメラ２の前面に当接され、図１〜３に示すように、ルーペ１の鏡筒７をデジタルカメラ２の鏡筒８の先端に光軸を一致させて同軸的に当接される。
【００２２】
そして、ルーペ１の把持部９は、支持具４にデジタルカメラ２の先端部をほぼ同じ高さで当接され、ルーペ１全体がデジタルカメラ２の前面に対して位置決めされる。この状態で、輪ゴム３によって、ルーペ１及び支持具４がともにデジタルカメラ２に締結されている。
【００２３】
このような取り付け構造により、ルーペ１の鏡筒７がデジタルカメラ２の鏡筒８にしっかりと装着されて固定されている。特に、この考案では、輪ゴム３によって、ルーペ１の鏡筒７と把持部９の枢着部に引っかけて、簡単にルーペ１と支持具４をともにデジタルカメラ２に弾力的に締結することができる。
【００２４】
なお、支持具４として紙粘土を用いると、若干、紙粘土の表面の高さがデジタルカメラ２の鏡筒８先端より高めでも、ルーペ１の把持部９を当接することにより、適度に塑性変形して、支持具４の高さを把持部９の高さを鏡筒先端に大体合わせることができるので、ルーペ１の鏡筒７をデジタルカメラ２の先端にがたつかない状態で当接（密着）することができる。
【００２５】
（作用）
以上の構成から成る本考案に係る接写用撮影装置の作用を、その使用状態を通して説明する。図１〜３に示すように、ルーペ１の鏡筒７をデジタルカメラ２の鏡筒８に光軸を合わせて当接し、把持部９は、支持具４４を介してデジタルカメラ２の前面に対して位置決めして輪ゴム３でデジタルカメラ本体に締結することにより、ルーペ１をデジタルカメラ２の前面に固定する。
【００２６】
このようにして、デジタルカメラ２及び高倍率ルーペ１を一体物として取り扱えるようにできる。被写体を接写する場合は、被写体とルーペ１の対物レンズ面の距離は１〜２ｃｍ程度に接近して、撮影する。
【００２７】
この撮影操作では、ルーペ１を対象物に近づけることによってルーペ１の接眼部レンズに投影された拡大図を、デジタルカメラ２のレンズを通して光学的にデジタルカメラ２が認識することにより、デジタルカメラ２に標準装備されている液晶等によるモニターに対象物の画像が投影される。この時、撮影者は左手に高倍率ルーペ１、右手にデジタルカメラ２を保持している状態でも、モニター画像を通してピント調整を行える状態にある。
【００２８】
ここで、ピント調整とは、デジタルカメラ２のモニター画面に映し出された画像が、対象物の輪郭を鮮明、的確に捉えているかどうかを確認する作業のことを言う。このピント調整が終了次第、撮影者はシャッターを押すことにより、実験室などでの顕微鏡観察を経ることなく、目的とする鉱物や植物などの微細組織（最小で０．１ｍｍ程度）を、観察しているその場で高倍率（５０−８０倍）の撮影画像を得ることが出来る。
【００２９】
図５は、本考案に係る接写用撮影装置の変形例を示す図である。この変形例の接写用撮影装置は、デジタルカメラ２とルーペ１との組み合わせから成るものである。この変形例の接写用撮影装置を使用して接写する場合は、図５に示すように、ルーペ１の把持部９を把持してルーペ１の鏡筒７をデジタルカメラ２の鏡筒８先端に当接する。そして、図６に示すように、デジタルカメラ２のモニタ画面を見ながらピント合わせを行い、接写する。
【００３０】
図７は、既存の撮影装置での撮影結果と，本考案に係る接写用撮影装置による撮影結果との比較を示す図である。図中左がデジタルカメラ単体による接写モードの撮影結果であり，図中右図は本考案に係る接写用撮影装置によって撮影された鉱物の接写画像を示す図である。なお、右図の撮影範囲は左図中の黒で示した四角の範囲にあたる。本考案に係る接写用撮影装置によって撮影された右図は，左図中四角で囲った範囲の１５倍の視野拡大となっている。
【００３１】
図８は、図中左がデジタルカメラ単体による接写モードの撮影結果であり、図中右図は本考案に係る接写用撮影装置によって撮影された約１ｃｍを示す定規の接写画像を示す図である。デジタルカメラ単体よる撮影画像では、線分１ｃｍに含まれる画素数（ピクセル）は２５８ピクセルであるのに対して、本考案に係る接写用撮影装置の場合は１４１５ピクセルである。
【００３２】
すなわち、デジタルカメラ単体による接写モードでの撮影画像に比べ、本考案によって約５．５倍の視野拡大効果が得られている。なお、デジタルカメラ単体によって得られた画像は、６００ｄｐｉ相当の解像度を持つプリンタを用いた場合、実物の約１０倍までは肉眼で識別可能な画像として出力することができる。一方、被写体実物と本考案による撮影画像との拡大効率の比較は、プリンタやモニタなどの出力機器側の解像度やデジタルカメラの撮影できる画素数により変動するが、概ね５０〜８０倍である。
【産業上の利用可能性】
【００３３】
従来、高倍率生物又は光学顕微鏡によって微細組織等を観察するためには、別途観察に適した試料を作成、調整する必要があった。しかしながら、本考案に係る接写用撮影装置によれば、野外またはその場での被写体の微細組織や微細構造の変化などを観察したいとき等に好適である。
【００３４】
例えば、鉱物や植物の野外観察時における微細構造・組織のその場観察ツールとして、更には警察による現場検証、特に車両接触事故時のキズ跡確認、製鉄所での鋼材表面の仕上がり具合の検査、など、様々な用途に適用できる。
【図面の簡単な説明】
【００３５】
【図１】本考案に係る接写用撮影装置の実施例を説明する図であり、装置を真上から見た図である。
【図２】本考案に係る接写用撮影装置の実施例を説明する図であり、装置を前方から見た図である。
【図３】本考案に係る接写用撮影装置の実施例を説明する図であり、装置を前方斜め４５度から見た図である。
【図４】本考案に係る接写用撮影装置の実施例の部品を説明する図である。
【図５】本考案に係る接写用撮影装置の変形例を示す図である。
【図６】上記変形例の操作状態を示す図である。
【図７】既存の撮影装置での撮影結果（左図）と本考案に係る接写用撮影装置による撮影結果（右図）との比較を示す図である。
【図８】既存の撮影装置での撮影結果（左図）と本考案に係る接写用撮影装置による撮影結果（右図）との拡大度合いを比較する図である。
【符号の説明】
【００３６】
１    肉眼観察用携帯型高倍率（１８倍）ルーペ
２    デジタルカメラ
３    弾性部材（例．輪ゴム）
４    支持具（例．紙粘土）
５    シャッターボタン
６    ルーペの鏡筒とデジタルカメラの鏡筒が当接する当接部
７    ルーペの鏡筒
８    デジタルカメラの鏡筒
９    ルーペの把持部
【図１】
0003113175.tif 000003
【図２】
0003113175.tif 000004
【図３】
0003113175.tif 000005
【図４】
0003113175.tif 000006
【図５】
0003113175.tif 000007
【図６】
0003113175.tif 000008
【図７】
0003113175.tif 000009
【図８】
0003113175.tif 000010